(57)【要約】【課題】極細のシールド線や導電線の形成を、印刷法により安価に、且つ効率的に行うためのオフセット印刷用ブランケットを提供する。【解決手段】オフセット印刷用ブランケットであって、平滑表面を有するブランケット基体と、該ブランケット基体の外表面に１ｍｍ以下、好ましくは０．５ｍｍ以下の厚さの弾性クッション層を設け、さらに該弾性クッション層の外表面にぬれ性に富み、且つ表面アラサが０．５μｍ以下である表面コーティング層を被覆したことを特徴とし、表面コーティング層をウレタン系塗料としその表面コーティング層の厚さが１００μｍ以下、また、弾性クッション層を合成ゴムまたは天然ゴムとしたオフセット印刷用ブランケット。【選択図】        図１
2004345132.tif 000002
【特許請求の範囲】
【請求項１】
オフセット印刷用ブランケットであって、平滑表面を有するブランケット基体と、該ブランケット基体の外表面に１ｍｍ以下の厚さの弾性クッション層を設け、さらに該弾性クッション層の外表面にぬれ性に富み、且つ表面アラサが０．５μｍ以下である表面コーティング層を被覆したことを特徴とするオフセット印刷用ブランケット。
【請求項２】
前記表面コーティング層が、ウレタン系塗料であり、該表面コーティング層の厚さが１００μｍ以下であることを特徴とする請求項１に記載のオフセット印刷用ブランケット。
【請求項３】
前記弾性クッション層が、合成ゴムまたは天然ゴムであることを特徴とする請求項１または２に記載のオフセット印刷用ブランケット。
【請求項４】
前記弾性クッション層の厚さが、０．５ｍｍ以下であることを特徴とする請求項１乃至３のいずれか１項に記載のオフセット印刷用ブランケット。
【発明の詳細な説明】
【０００１】
【発明の属する技術分野】
本発明は、オフセット印刷用ブランケットに関するものである。
【０００２】
【従来の技術】
昨今、電子装置、例えばＭＲＡ、ＣＴなどの医療装置、ホストコンピュータを初めとするコンピュータ関連設備、携帯電話機、パソコン、ＴＶ、デジタルカメラ等の民生装置等、その普及の拡大、数の増加は目覚ましいばかりのものがある。しかしながら、一方これによるマイナス面である発生電磁波による影響は、人体に及ぼすもの、他の関連電子装置の誤作動への影響など大きな問題となりつつある。
【０００３】
勿論、内部より発生する電磁波は、これを防止するためにの規制、例えばＶＣＣＩ（情報装置等電波障害自主規制協議会）規制など、ますます厳しくなっており、色々な手法によりこれに対処する努力も一応は図られている。
従来のシールド方式として、導電性塗装や真空蒸着などの方式が用いられている。
しかしながら、動作周波数の増加などによる電磁波の遮断は、これらの平坦面的な遮断では必ずしも満足できるものではなくなりつつある。
【０００４】
一方、大形の画像表示面や、窓ガラスのような大きな面積を有する対象に、電磁的遮断を施すことは、金属メッシュの形成やコーティングなどにより行われている。（例えば、特許文献１参照）
しかしながら、その遮断手段が往々にその視野の劣化をもたらし、近年視野の劣化をもたらさない、導電性の線状シールドの要求が強くなってきた。
また、従来方式の電磁波のシールド方式では、反射現象、干渉現象、広角入射などに対しては必ずしも十分なものとは言えない。これらに対する対策はない訳ではないが、いずれもコスト的には高くなるものであり十分とは言えない。
【０００５】
また、従来から大形平面に対してシールド線を印刷法により行うことが試みられている。従来、印刷はスクリーン印刷法やグラビア印刷法で行なわれており、それに使用する凸版や凹版の表面に付される図形模様は、ＰＨＯＴＯ／電食法などにより設けられてきた。また従来、オフセット印刷の原板において、凸部および凹部により形成される線幅を２０μｍ以下にすることは、線切れ等の不具合を生じるため極めて困難なことであった。また、この極細線の形成ができても、それよりインキを写しとるブランケットが従来仕様のものでは、折角構成された２０μｍ以下の極細線を忠実にブランケット上に写しとること、強いては、このブランケットより更に被印刷面に精度良く転写することは極めて困難なことであった。
【０００６】
【特許文献１】
特開平１０−１６１５５３号公報（段落０００５、００２２、００３３参照）
【０００７】
【発明が解決しようとする課題】
上記のごとく、印刷法によりシールド線や導電線を印刷する場合、いわゆる印刷原板である凹版に形成される図形模様をＰＨＯＴＯ／電食法やレーザー光線の他に刃工具による極細線の形成が試みられ、相当の成果が認められているが、この凹版から、インキを更に写しとるブランケットが従来のものでは、この極細線を忠実に写しとことは極めて困難なであった。
また、市場の技術的要求として、シールド線や導電線の従来にもまして極細のものの要求が強く求められてきており、これに対する印刷システムトータルとしての対策、すなわち極細線を可能とした凹版と併用されるべき忠実度の極めて高いブランケットの出現がのぞまれている。
【０００８】
本発明は、上記の要求に鑑み、曲面をも含む広い面への極細のシールド線や導電線の形成を、印刷法により安価に、且つ効率的に行うためのオフセット印刷用ブランケットを提供することをその目的としている。
【０００９】
【課題を解決するための手段】
本発明のオフセット印刷用ブランケットは、
１）オフセット印刷用ブランケットであって、平滑表面を有するブランケット基体と、該ブランケット基体の外表面に１ｍｍ以下の厚さの弾性クッション層を設け、さらに該弾性クッション層の外表面にぬれ性に富み、且つ表面アラサが０．５μｍ以下であるコーティング層を被覆したものである。
【００１０】
２）また、上述１）において、前記コーティング層を、ウレタン系塗料とし、該コーティング層の厚さを１００μｍ以下としたものであり、
３）上述１）または２）における前記弾性クッション層を、合成ゴムまたは天然ゴムとしたものであり、４）上述１）〜３）における、弾性クッション層の厚さを０．５ｍｍ以下としたものである。
【００１１】
本発明は、印刷法により線幅ｂが１〜１０μｍという極細の線状印刷を得ることを可能とした凹版、たとえば本出願人の先の発明になる凹版（特願２００３−１２３４１８３号）より、忠実に極細線のインキを写しとるオフセット印刷用ブランケットであり、基本的に３つの層からなっている。
図１は、本願発明のオフセット印刷用ブランケットの基本的な構成を断面にてあらわした模式図である。図において、１はオフセット印刷用ブランケット、２はブランケット基材、３は弾性クッション層、４は表面コーティング層である。
【００１２】
上述のごとく、印刷法により線幅ｂが１〜１０μｍという極細の線状印刷を得ることを可能とした凹版より、忠実に極細線のインキを写しとるため、本発明は適度の表面性状を有することを特徴とするものである。この適度の表面性状とは、代表的に、イ）表面弾性（クッション特性）、ロ）表面アラサ、ハ）表面ぬれ性が適正なものを意味する。
【００１３】
表面弾性（クッション性）は、それが少なければ凹部からのインキの写し取りが悪くなり、また多すぎれば弾性変形による極細線に対する忠実度が悪くなる。
実験の結果、弾性クッション層の材質としては合成ゴムまたは天然ゴムが好ましく、硬度Ｈｓ（ＪＩＳ）４０〜６０において、この弾性材（クッション材）の厚さｔを、１ｍｍ以下、好ましくは０．５ｍｍ以下とすることが好ましい。
【００１４】
合成ゴムとしては、ブタジエンゴム（ＢＲ）、スチレン・ブタジエンゴム（ＳＢＲ）、クロロプレンゴム（ＣＲ）、シリコーンゴム（Ｑ）等、また天然ゴムとしては加硫されたものが使用される。
なお、ブランケット基材としては、従来使用されている比較的目の詰まった表面平担度を有する織布材を使用する。印刷機の仕様により異なるが、面積として６００ｍｍ×７００ｍｍ程度の大きさのものを使用する。
【００１５】
ブランケットの表面性状の内、ロ）、ハ）は、前記弾性クッション層の該表面に設けられた表面コーティング層により与えられる。表面コーティング層は主として柔軟性のあるぬれ性に富むウレタン系塗料をコーティングする。柔軟性に乏しいアクリル系塗料は本発明のブランケットの表面コーティング層としては好ましくない。表面アラサｈ（Ｈｍａｘ）は、インキの保持性の点から０．２μｍ≦ｈ≦１μｍが好ましい。
【００１６】
【発明の実施の形態】
本実施の形態によるオフセット印刷用ブランケットの作成仕様は下記の如くである。
2004345132.tif 000003
ブランケット基材表面に上記弾性クッション層を重ね、平面金型に挟み蒸気過熱により接着加工した。離型冷却後、吹き付け法によりウレタン系塗料をコーティングし、本実施の形態のオフセット印刷用ブランケットを作成した。
【００１７】
上記仕様により作成されたオフセット印刷用ブランケットをオフセット印刷機の円筒状ブランケット本体にセットし、予め準備された本出願人の先の発明になる凹版（特願２００３−１２３４１８３号）を使用して、その凹版に施された模様凹部（線幅１０μｍ、線間ピッチ０．２５ｍｍの升目模様）に塗布保持された導電性オフセットインキ（塩化パラジウム粉末３０％混入）を該ブランケットにより写しとり、さらに合成樹脂シート上に該升目模様を印刷した。
【００１８】
印刷結果、印刷目標（線幅１０μｍ、線間ピッチ１ｍｍの升目模様）に対し、升目交点において線幅の若干のばらつきは認められたが、概ね線幅１０μｍは確保されており、また線切れ等は認められなかった。
【００１９】
なお、弾性クッション層の硬度Ｈｓを硬くし厚さを若干増すことにより、ブランケット基材としての織布を省略することもできる。
また、弾性クッション層をぬれ性に富む材料を選び、その表面アラサを０．２μｍ≦ｈ≦１μｍに保つことにより表面コーティングを省略することもできる。
なお、上記実施の形態においては、１実施例について述べたが、本発明の主旨を満たすもので有れば、上記実施の形態における各条件に限定されるものではない。
【００２０】
【発明の効果】
（１）オフセット印刷用ブランケットであって、平滑度表面を有するブランケット基体と、該ブランケット基体の外表面に１ｍｍ以下、好ましくは０．５ｍｍ以下の厚さの弾性クッション層を設け、さらに該弾性クッション層の外表面にぬれ性に富み、且つ表面アラサが０．５μｍ以下である表面コーティング層を被覆したことにより、忠実度の高い極細線印刷を可能とした。
（２）前記表面コーティング層を、ウレタン系塗料とし、該表面コーティング層の厚さを１００μｍ以下とすることにより、また、前記弾性クッション層を合成ゴムまたは天然ゴムとすることにより、より具体的に極細線の印刷を可能としたオフセット印刷用ブランケットを供給することができる。
【図面の簡単な説明】
【図１】本願発明のオフセット印刷用ブランケットの基本的な構成を断面にてあらわした模式図である。
【符号の説明】
１  オフセット印刷用ブランケット、２  ブランケット基材、３  弾性クッション層、４  表面コーティング層。
【図１】
2004345132.tif 000004